(57)【特許請求の範囲】
【請求項１】
励起光を放出する励起光源と、入射する励起光を励起光の波長とは異なる波長の放射光に変換する複数のターゲット材料と、１個又はそれ以上の反射面を有し、前記励起光源から放出された励起光を前記ターゲット材料に入射させると共に各ターゲット材料から放出された放射光を前記励起光の光路と共通の光路に沿って出射させる回転反射体と、この回転反射体の反射面の位置を検出する位置検出装置と、位置検出装置からの出力信号に基づき、前記励起光源を各ターゲット材料の位置に同期して駆動させる同期信号を発生するタイミング制御回路と、タイミング制御回路からの出力信号に基づき、前記励起光源をパルス駆動させる電源回路とを具えることを特徴とする光源装置。
【請求項２】
前記複数のターゲット材料を、一平面内に円環状にほぼ等間隔で配置し、前記回転反射体を前記円環の中心に配置し、前記光源の共通の光路を前記円環の中心を通り前記平面と直交する軸線としたことを特徴とする請求項１に記載の光源装置。
【請求項３】
前記励起光源を前記共通の光路の延長線上に配置し、励起光源と前記回転反射体との間に励起光とターゲット材料から放出された放射光とを分離するビームスプリッタを配置したことを特徴とする請求項２に記載の光源装置。
【発明の詳細な説明】
【０００１】
【発明の属する技術分野】
本発明は光源装置、特にパルスレートが高く高輝度の放射パルスを放出することができる光源装置に関するものである。
【０００２】
【従来の技術】
ＬＳＩの製造に用いられる露光装置においては、解像度を一層高くするため露光光として遠紫外光が広く用いられている。遠紫外光を発生する光源としては、パルス駆動するエキシマレーザが広く用いられている。一方、露光時の処理速度を高めスループットを改善するため露光光源のパルスレートを高くすることが重要な課題になっており、特にパルス光源を用いるスキャン方式の露光装置においては、スループットを改善する観点より光源のパルスレートを一層高くすることが強く要請されている。一方、エキシマレーザのパルスレートは高々２００Ｈｚ程度であるため、そのパルスレートを高くすることが強く要請されており、パルスレートを高くする方法として、例えばエキシマレーザのチューブ内のガス流速を高速にする試みがなされている。
【０００３】
また、顕微鏡や光学式検査装置においては、高速観察或いは高速検査する場合、照明光源の輝度が不足する場合があるため、照明光源として高輝度の光源の開発が要請されている。
【０００４】
【発明が解決しようとする課題】
エキシマレーザのパルスレートを高くする方法として、チューブ内のガス流速を高くする方法が提案されているが、ガス流速の改善だけでは限界があり、所望のパルスレートまで高くできないのが実情である。しかも、ガス流速を高くしようとするとレーザ装置の構造が複雑化しその製造コストも大幅に高価になってしまう。
【０００５】
また、一方ランプ等の光源の輝度を高くする方法とてし、入力電力を大きくすることが考えられるが、入力電力を高くしても光源の発光アークのサイズが大きくなるだけで輝度の向上にはあまり寄与しないのが実情である。また、光源の発光レートを高くすることも考えられるが、発光レートを高くすると時間平均輝度は高くなるが、時間平均入力電力が制限されているため最大発光レートも制限されてしまう事が多い。
【０００６】
従って、本発明の目的は、実効パルスレートを一層高くすることができる光源装置を提供することにある。
【０００７】
本発明の別の目的は、高輝度の光パルスを発生することができる光源装置を提供することにある。
【０００８】
【課題を解決する手段】
参考例として記載する本発明による光源装置は、光を放出する光源と、１個又はそれ以上の反射面を有し、各光源から放出された光を前記光源の共通の光路に沿って出射させる回転反射体と、この回転反射体の反射面の位置を検出する位置検出装置と、位置検出装置からの出力信号に基づき、前記複数の光源を回転反射体の位置に同期して駆動させるための同期信号を発生するタイミング制御回路と、タイミング制御回路からの出力信号に基づき、前記光源を順次パルス駆動させる電源回路とを具えることを特徴とする。
【０００９】
本発明の基本思想は、空間的に異なる位置に配置され時間的に変移して発光する複数の光源を時間的及び空間的に同期させることにより、これら複数の光源が空間的に同一の位置に存在するのと等価になると言う認識に基づいている。このような認識に基づき、本発明では、異なる位置に配置された複数の光源を空間的に同期させるため、種々の方向から入射した光を同一の光路に沿って出射させる回転反射体を用いる。また、時間的に同期させるために回転反射体の反射面の位置を検出する位置検出装置を用い、この位置検出装置からの位置情報に基づき、時間的に同期した同期信号を発生する。そして、この同期信号に基づいて光源駆動用の電源からパルス状の駆動信号を発生して各光源を順次駆動する。この結果、複数の光源から順次出射した複数のパルス光を順次共通の光路に沿って出射させることができ、設けた光源の数の倍数だけパルスレートが増倍され、光源装置としての実効パルスレートを増大することができる。同時に、光源装置の発光レートが増大することに伴い時間平均輝度も増大し、この結果照明用光源装置としての実効輝度も増大する。
【００１０】
尚、本明細書において、「光」の用語は、赤外光、可視光、紫外光、Ｘ線等の種々の波長域の電磁波を含み、紫外光にはＤＵＶ，ＶＵＶ及びＥＵＶの全ての紫外域の電磁放射を含むものである。また、「光源」の用語は、赤外光、可視光、紫外光、Ｘ線等の種々の波長域の電磁波を発生する光源を意味するものとする。
【００１１】
本発明において用いられる光源はパルス光を放出できる全ての光源を用いることができ、キセノンフラッシュランプ、エキシマレーザ、ＹＡＧ等の固体レーザ等の種々の光源を用いることができる。特に、キセノンフラッシュランプは高密度プラズマを発生させて１３ｎｍ程度の遠紫外域の放射も発生することができるので、一層高い分解能が要求される露光装置用の光源装置として極めて好適である。
【００１２】
尚、複数の光源は全て同一波長を放出する光源でもよく、或いは異なる波長の光を放出する光源とすることもできる。例えば紫外光を放出する光源と赤外光を放出する光源とすることができる。この場合、回転反射体の同期を切り換えことにより波長選択を行うことができ、例えば処理すべきターゲットの用途に応じて紫外光又は赤外光だけを連続して出射させることができ、或いは紫外光と赤外光とを交互に出射させることもできる。
【００１３】
また、回転反射体として、１個の反射面を有するモノゴンミラーや複数の反射面を有するポリゴンミラーを用いることができる。さらに、これらの回転反射体の反射面は、アルミニウム層や銀層がコートされた反射面及び誘電体多層膜が形成されている反射面等を用いることができ、用いる放射の波長域に応じて適切な選択することができる。さらに、回転反射体の反射面に波長選択性を持たせることも可能であり、特定の波長域の放射光だけを反射させ又は透過させることも可能である。従って、用いる光源の波長域と組み合わせることにより、特定の波長光を一方向に出射させ別の波長光を別の方向に出射させることも可能である。
【００１４】
本発明による光源装置の好適実施例は、複数の光源を、一平面内に円環状にほぼ等間隔で配置し、回転反射体を前記円環の中心に配置し、前記光源の共通の光路を前記円環の中心を通り前記平面と直交する軸線としたことを特徴とする。このように構成することにより、多数の光源を隣接した配置することができ、空間的な有効利用を図ることができ、高いパルスレートの放射光を出射させることができる小型の光源装置を実現することができる。
【００１５】
本発明による光源装置は、励起光を放出する励起光源と、入射する励起光を励起光の波長とは異なる波長の放射光に変換する複数のターゲット材料と、１個又はそれ以上の反射面を有し、前記励起光源から放出された励起光を前記ターゲット材料に入射させると共に各ターゲット材料から放出された放射光を前記励起光の光路と共通の光路に沿って出射させる回転反射体と、この回転反射体の反射面の位置を検出する位置検出装置と、位置検出装置からの出力信号に基づき、前記励起光源を各ターゲット材料の位置に同期して駆動させる同期信号を発生するタイミング制御回路と、タイミング制御回路からの出力信号に基づき、前記励起光源をパルス駆動させる電源回路とを具えることを特徴とする。この実施例は、赤外光をＶＵＶ、ＥＵＶの紫外域の放射に波長変換して高パルスレートで出射させるのに好適である。この場合、励起光源として例えばＮｄ添加ＹＡＧレーザやエキシマレーザを用いることができる。また、ターゲットとして錫、タンタル、キセノンのガスジェット等の種々の波長変換材料を用いることができる。さらに、回転反射体の反射面として、例えばＥＵＶの紫外光を出射させる場合、モリブデンとシリコンとの誘電体多層膜を用いることができる。尚、ターゲットに励起光に入射して波長変換が行われる際、高速分子、分子クラスタ等の飛散分子が発生する可能性がある。この場合、回転反射体を１個の反射面を有するモノゴンミラーで構成すれば、デブリ等は光の移動速度よりもはるかに遅いため、たとえ高速分子等が発生しても反射面以外の側面や裏面に付着するため、反射面が汚染される可能性を顕著に低減することができる。
【００１６】
【発明の実施の形態】
図１は本発明による光源装置の一例の構成を示す線図であり、図１Ａは全体構成を示す線図であり、図１Ｂは複数の光源及び回転反射体の配置構成を示す線図的平面図である。図１Ｂに示すように、本例では８個の光源１ａ〜１ｈを一平面内に円環状にほぼ等間隔で配置し（図１Ａにおいては、２個の光源１ｃ及び１ｇだけを示す）、この円環の中心に回転反射体２を配置する。光源として、発生する放射光の用途に応じて種々の光源を用いることができ、例えばＮｄ添加ＹＡＧレーザ、エキシマレーザ、キセノンランプ等の種々の光源を用いることができる。
【００１７】
各光源１ａ〜１ｈから放出した放射光は回転反射体２の反射面２ａに入射する。回転反射体２は直角プリズム３とモータ４とを有し、直角プリズム３をモータ４の回転軸に結合し、モータの回転により直角プリズム３を等速度で回転させる。光路に対して４５°の角度をなす直角プリズム３の斜面に反射面２ａを形成する。この反射面２ａは、アルミニウム又は銀をコートした反射面で構成することができ、或いは誘電体多層膜で構成することもできる。尚、例えばキセノンランプのように光源１ａ〜１ｈがブロードなスペクトル領域の放射光を放射する場合、反射面２ａに波長選択性を持たせて特定の波長域の光だけを反射させ、各種処理用の光ビームとして利用することもできる。
【００１８】
回転反射体２に入射した放射光は反射面で反射し、各光源の共通の光路Ｌに沿出射し、各種の処理に利用される。
【００１９】
モータ４には、その回転軸の回転位置すなわち直角プリズム３の反射面の角度位置を検出する位置検出器５を結合する。この位置検出器として例えばエンコーダを用いることができる。位置検出器５により検出された反射面２ａの位置情報はタイミング制御回路６に供給する。このタイミング制御回路６は、位置検出器からの反面２ａに関する位置情報に基づき、８個の光源１ａ〜１ｈを回転反射体の反射面の位置に同期して駆動させるための同期信号を発生する。すなわち、各光源１ａ〜１ｈの配置位置を座標系として予め記憶しておき、回転反射体３の反射面の基準角度座標からの変位量に基づき、対応する光源を順次駆動する同期信号を発生する。例えば、光源１ａの角度位置を基準とした場合、反射面２ａがこの角度位置から４５°の角度進んだ位置に到達したことを位置検出器５が検出したとき、反射面２ａは光源１ｂと対向する位置に存在し、タイミング制御回路６は同期信号を電源回路７供給する。そして、電源回路７は光源１ｂにパルス状の駆動信号を供給して光源１ｂを駆動する。この結果、光源１ｂから放出されたパルス光が各光源に共通の光路Ｌに沿って出射する。次に、反射面が９０°の角度に進んだ位置に到達したことを検出したとき、タイミング制御回路からの同期信号に基づき、電源回路７から光源１ｃに駆動信号を供給して光源１ｃを駆動し、光源１ｃからのパルス光を共通の光路Ｌに沿って出射させる。
【００２０】
例えば、光源として、２００Ｈｚの周波数で動作するエキシマレーザを用いる場合、８個のエキシマレーザを順次駆動することにより８倍に増倍された周波数、すなわち１．６ｋＨｚの繰り返し周波数で紫外光をパルス発生させることができる。
【００２１】
図２は本発明による光源装置の別の実施例を示す線図である。本例では、パルスレートの増倍に加えて波長変換も併せて行う光源装置について説明する。励起光源１０からパルス状の励起光を発生する。本例では、励起光源として赤外光を放出するＹＡＧレーザを用いる。この励起光はレンズ１１により集束し、ビームスプリッタ１２を透過する。このビームスプリッタ１２は赤外光については透過性を有し紫外光については反射性を有するビームスプリッタとし、例えばモリブデンとシリコンとの誘電体多層膜で構成することができる。
【００２２】
ビームスプリッタ１２を透過した励起光は、図１に示す実施例と同様な回転反射体１３に入射し、この回転反射体の反射面１３ａで反射し、波長変換を行うターゲット１４に集束ビームとして入射する。図２Ｂに示すように、８個のターゲット１４ａ〜１４ｈを同一平面内に円環状にほぼ等間隔で配置し、その円の中心に回転反射体１３を配置する。回転反射体１３は、単一の反射面１３ａを有するモノゴンミラーで構成する。このモノゴンミラーは直角プリズム１５とモータ１６を有し、直角プリズムをモータ１６の回転軸に結合する。モータ１６に位置検出器１７を連結して反射面１３ａの位置を検出し、図１の実施例と同様にタイミング制御回路１８に供給する。タイミング制御回路からの同期信号を電源回路１９に供給し、回転反射体の反射面が各ターゲット１４ａ〜１４ｈの位置と対向する位置に到達する毎に励起光源に駆動信号を供給し、パルス状の励起光を発生させる。尚、ＥＵＶの紫外光を発生させる場合、図２の一点鎖線で規定される内部は真空に維持し、その真空チャンバの光の光路には窓を設ける必要がある。
【００２３】
ターゲットとして錫、タンタル、キセノンのガスジェット等の種々の材料を用いることができる。ターゲット材料１４に励起光が集束した状態で入射すると、ターゲット材料の表面に高密度プラズマが発生し、このプラズマから例えば１３ｎｍ程度の波長のＥＵＶ或いはＶＵＶの波長域の紫外光或いはＸ線が発生する。本発明では、この波長変化された紫外光又はＸ線を有用な放射光として利用する。ターゲット材料１４から放出された放射光は回転反射体１３の反射面に入射し、この反射面で反射し、各ターゲット材料の共通の光路Ｌに沿って出射する。そして、励起光源１０と回転反射体１３との間に配置したビームスプリッタ１２で反射し外部に出射する。このように構成すれば、ターゲット材料が順次励起されて１３ｎｍ程度のＥＵＶを高パルスレートで発生させことができ、ＬＳＩの製造に用いられる露光装置の光源装置として極めて有益である。さらに、有用な利点として、励起光の入射による高密度プラズマの発生と共にデブリ等の飛散物が発生するが、これら飛散物の移動速度は相対的に遅いため、これらデブリ等の汚染物が発生しても、反射面１３ａは回転移動しているためモノゴンミラーの反射面以外の側面や裏面に付着するため、反射面を汚染する不具合を解消することができる。また、一旦励起した後次のターゲット材料が励起される間にターゲット材料が冷却されるので、十分な緩和時間を確保することができる利点がある。
【００２４】
本発明は上述した実施例だけに限定されず、種々の変形や変更が可能である。例えば、本発明はパルス光を放出する光源装置において繰り返し周波数を増大することが望まれる全ての光源装置に適用でき、ＬＳＩの製造に用いられる露光装置だけでなく、放射光を用いてターゲットを処理し或いは検査並びに観察するための光源装置にも適用することができる。例えば、例えばプリント回路基板に微細な孔を形成するレーザ処理装置においては、パルス発振するレーザ光源から放出されるレーザパルスの繰り返し周波数を増大し処理速度を高めることが強く要請されているため、このような技術分野においても本発明を有益に利用することができる。特に、繰り返し周波数が２００Ｈｚ程度のエキシマレーザを数個組み合わせることにより１ｋＨｚ以上の繰り返し周波数で紫外光パルスを発生することが可能になり、スループットを改善する上で極めて有益である。
【図面の簡単な説明】
【図１】  本発明による光源装置の一例の構成を示す線図である。
【図２】  パルスレートの増倍及び波長変換を行う本発明による光源装置の実施例を示す線図である。
【符号の説明】
１  光源
２，１３  回転反射体
３，１５  直角プリズム
４  モータ
５，１７  位置検出器
６，１８  タイミング制御回路
７，１９  電源回路
１０  励起光源
１２  ビームスプリッタ
１４  ターゲット材料
【図１】
0004332648.tif 000002
【図２】
0004332648.tif 000003